(57)【要約】処理ユニット（８）は、連続するシート（１）上のコードバーの形の案内マーク（４）を検出する読み取り装置（７）から情報を収集する。このシート（１）は、テーブル（２）上でドラム（３）に導かれる。処理ユニットは、互いに異なる印刷技術で機能する２つ又はそれ以上の標識付与装置の全ての部材（５１、５２、５３、６１、６２、６３）に制御信号を送ると共に、認証データベースを形成するように、プログラムされている。装置（５）は機械的活版印刷技術で機能する。
2005526643.tif 000002
【特許請求の範囲】
【請求項１】
証券用紙上に複合識別標識を付与するための方法であって、各複合識別標識が、順次に配分される第一の英数字識別標識と、少なくとも一つの第二の識別標識とからなり、前記第一の識別標識と前記少なくとも一つの第二の識別標識とが決定規則によって結び付けられており、前記第一の識別標識が第一の標識付与部署によって付与され、前記第二の識別標識が第二の標識付与部署によって付与され、複数組の証券用紙が前記第一の標識付与部署及び第二の標識付与部署と連続的に標識付与について関係付けられる方法において、前記第一及び第二の標識付与部署が、認証データベースを使用する共通の処理ユニットによって制御され、該認証データベースが、各第一の英数字識別標識に前記少なくとも一つの第二の識別標識の一つを関連付け、前記処理ユニットが前記第一及び第二の標識付与部署に対し連続的に順序付けされた制御信号を発し、それにより、各標識付与部署が、順次決定された標識を各証券用紙上に形成するようにし、該標識が、他の標識付与部署により該証券用紙上に形成される標識と一緒に複合標識を形成可能であり、前記少なくとも一つの第二の標識と前記第一の標識とが前記規則によって互いに対応している、方法。
【請求項２】
前記第一の標識付与部署と第二の標識付与部署とが互いに異なる標識付与技術を使用する請求項１に記載の方法。
【請求項３】
前記第一の識別標識と前記第二の識別標識とが同一の可視部分を共有しておらず、各第二の識別標識が、前記規則によって又は前記認証データベースに記憶された一連のデータによって、一義的に決定される請求項１又は２に記載の方法。
【請求項４】
各完全な複合識別標識に含まれる前記第一の識別標識が機械的活版印刷工程によって形成される請求項１から３までのいずれか一項に記載の方法。
【請求項５】
各完全な複合識別標識に含まれる他の識別標識がレーザ式標識付与工程、インクジェット工程、活版印刷工程、又はエンボス工程によって形成される請求項３に記載の方法。
【請求項６】
前記複数組の証券用紙が、個々の証券用紙が行及び列に配分され互いに隣接するフィールドを占めているシートの形の集合体であり、各標識付与部署が複数の構成要素標識付与装置を具備しており、各標識付与装置の作動領域が一つの列に対応しており、前記処理ユニットによって発せられる制御信号が互いに異なる構成要素標識付与装置に分配され、各構成要素標識付与装置により受信される信号が、前記構成要素標識付与装置の位置の関数として前記認証データベースにより順次生成される請求項１から５までのいずれか一項に記載の方法。
【請求項７】
各シートのフィールドが、刷り込みが行われて前記証券用紙の基本デザインが形成された後に、ミスプリントについて検査されると共に、ミスプリントのあるフィールドの位置が記録されるようになっており、一時データベースを形成するために、案内マークが各シートと前記シートの前記ミスプリントの記録とに関連付けられ、該一時データベースが前記認証データベースに結合され、それにより、前記基本デザインのミスプリントが確認されたフィールドにおける、前記標識付与装置の全ての構成要素による識別標識の完成が、前記処理ユニットによって発せられる前記制御信号でもってスキップされるようにする請求項６に記載の方法。
【請求項８】
一組の証券用紙上に完全な複合識別標識が完成された後に、該一組の証券用紙が前記識別標識の完成を確認する検査装置に導かれる請求項１から７までのいずれか一項に記載の方法。
【請求項９】
識別標識の完成後に前記シートが、行及び列に切断され、互いに分離された証券用紙の順次連続体が形成されるように処理され、互いに分離された証券用紙の順序が前記英数字識別標識の順序に対応するように、前記処理ユニットの前記制御信号が前記標識付与部署の前記標識付与装置に配分される請求項６から８までのいずれか一項に記載の方法。
【請求項１０】
ミスプリントが前記順次連続体から省かれ、次いで前記証券用紙の連続体がステープル留めされて束ねられる請求項９に記載の方法。
【請求項１１】
証券用紙に複合識別標識を付与するための装置であって、各複合識別標識が、順次に配分される第一の英数字識別標識と、決定規則によって結び付けられた少なくとも一つの第二の識別標識とからなり、該装置が、第一の標識付与部署及び少なくとも第二の標識付与部署を具備した装置において、前記第一及び第二の標識付与部署が、認証データベースを使用する共通の処理ユニットに接続されると共に該処理ユニットによって制御され、該認証データベースが、各第一の英数字識別標識に前記第二の識別標識の一つを関連付け、前記第一及び第二の標識付与部署に対し連続的に順序付けされた制御信号を発し、それにより、各標識付与部署が、順次決定された標識を各証券用紙上に形成するようにし、該標識が、他の標識付与部署により該証券用紙上に形成される標識と一緒に複合標識を形成可能である手段を前記処理ユニットが有し、各証券用紙の前記少なくとも一つの第二の標識と前記第一の標識とが前記規則によって互いに対応している、装置。
【請求項１２】
前記第一の標識付与部署と第二の標識付与部署とが互いに異なる標識付与技術を使用する請求項１１に記載の装置。
【請求項１３】
前記標識付与部署が、レーザ式標識付与部署、インクジェット部署、活版印刷部署、又はエンボス部署から選択される請求項１１又は１２に記載の装置。
【請求項１４】
各標識付与部署が複数の構成要素標識付与装置を具備し、各標識付与装置の作動領域が一つの列に対応しており、制御信号が互いに異なる構成要素標識付与装置に分配されて各構成要素標識付与装置により受信される信号が、前記構成要素標識付与装置の位置の関数として前記認証データベースにより順次生成されるように、前記処理ユニットがプログラムされる、個々の証券用紙が行及び列に配分され互いに隣接するフィールドを占めているシートの形にまとめられた複数組の証券用紙を処理するための、請求項１１から１３までのいずれか一項に記載の装置。
【請求項１５】
一時データベースを構成するために各シートのミスプリントを記録するための手段を具備し、前記処理ユニットは前記一時データベースを前記認証データベースに結合でき、それにより、前記基本デザインのミスプリントが確認されたフィールドにおける、前記標識付与装置の全ての構成要素による識別標識の完成が、前記処理ユニットによって発せられる前記制御信号でもってスキップされるようにした請求項１４に記載の装置。
【請求項１６】
前記複合識別標識の完成を確認する検査装置を更に具備した請求項１１から１５までのいずれか一項に記載の装置。
【発明の詳細な説明】
【技術分野】
【０００１】
本発明は証券用紙に可変データを付与するための方法及び装置の分野に属し、各証券用紙は、コピー及び偽造に対するセキュリティを改良する、個別化された識別標識を有している。本明細書において「証券用紙」という用語は、主に銀行券を指すが、小切手、宝くじ券、権利証書など金融資産価値を有するあらゆる種類の書類も指す。この列記は限定的なものではない。本明細書において「識別標識」という用語は、人間の目によって又は特定の機械のみによって読み取り可能な記号であって、その特徴が、ファイルに保存されうると共に、各証券用紙が同種の他の証券用紙から区別されうるように変化されうるものを指す。識別標識には、例えば、通し番号、コードバー、幾何学的順序、穿孔、磁気的にエンコードされた領域などが含まれるが、これらに限定されない。
【０００２】
本発明は、より具体的に言うと、証券用紙に複合識別標識を付与するための方法であって、各複合識別標識が、順次に配分される第一の英数字識別標識と、少なくとも一つの第二の識別標識とからなり、前記第一の識別標識と前記少なくとも一つの第二の識別標識とが決定規則によって結び付けられており、前記第一の識別標識が第一の標識付与部署によって付与され、前記第二の識別標識が第二の標識付与部署によって付与され、前記第一の標識付与部署と第二の標識付与部署とが互いに同じか又は異なる標識付与技術を使用し、複数組の証券用紙が前記第一の標識付与部署及び第二の標識付与部署と連続的に標識付与について関係付けられる方法に関する。
【背景技術】
【０００３】
証券用紙の偽造、特に日ごと再生の質が上がっているコピー機を使用した再生を困難にするために、フィルム、ラベル又はリボンの形で画像を適用することによって証券用紙特に銀行券にセキュリティ領域を作ることがすでに知られている。これらの画像はしばしば、見る角度に応じて外観を変えるという特性を有するキネグラムかホログラムからなる光学的可変画像である。これらの画像はホットシールかコールドシールによって適用されうる。この種の画像を、その他の部分が印刷済みの銀行券のシートに適用するための機械は、例えば欧州特許出願公開第０６２５４６６号公報、米国特許第６，２６３，７９０号明細書、又は米国特許第６，３０２，０１６号明細書に説明されている。単純なカラーコピー機による偽造は従ってもはや不可能だが、この種の画像が添付されると、ホログラムなどを生成できる偽造者による偽造を排除できない。
【０００４】
証券用紙の識別標識はしばしば、書類に印刷された通し番号からなる。通常の通し番号のセキュリティ効果を向上させるために、欧州特許出願公開第０７６８１８９号公報は、証券用紙に永久的に付着された箔上の画像の形の付加的セキュリティ機能を、上述の方法を使って通し番号に関連付け、画像情報が証券用紙毎に異なっていることを教示している。欧州特許出願公開第０７６８１８９号公報が教示する方法によれば、箔又はラベル上の画像情報は、証券用紙への箔の固定工程の後に読み取り装置によって読み取られる。読み取り装置はプリンタに命令し、プリンタは例えば通し番号に関連して証券用紙の別の場所に同じ情報を印刷する。識別標識はこのようにして複合標識となり、その再生又はコピーは、通常の通し番号だけのものの場合、又は用紙によって変わらないホログラム画像に関連付けられた通し番号の場合に比べてより困難になる。しかし、偽造の分野において偽の証券用紙の時間当たりの生産速度が金融管理局の公式の生産プラントに比べて遅いであろうことを特に考慮すると、箔、リボン又はラベル上に情報を例えば１組の英数字として刷り込むことができる偽造者は、証券用紙の他の場所に同じ一連の英数字を再生することも可能なので、この公知の提案は満足のいくものではまったくない。
【０００５】
仏国特許出願公開第２７３３４５７号公報は、ランダムに生成される少なくとも９つの記号からなる記号列を各証券用紙に生成することを教示している。この記号列は通し番号に加えて証券用紙に印刷される。この二名式情報の組（即ち、通し番号及びランダムな９つの記号の列）は記憶され、後の認証のための認証データベースを構成する。
【０００６】
国際特許出願公開第０１/３３５１４号公報は、まず、好ましくは人間の目に見えないか又は少なくとも人間の目で読み取れないコード化情報を証券用紙に付与し、その後、証券用紙に添付されたコード化情報を特定の読み取り装置で読み取ってこの情報をデータベースに記憶し、次いで可視の通し番号を証券用紙に付与してこの通し番号もデータベースに記憶することを教示している。従って、両方の情報は二名式に記憶され、後に認証のために使用することができる。
【０００７】
仏国特許出願公開第２６９８９８５号公報は、認可されたユーザのみが知っているコードにより可視ランダム標識から導出されるシンボル又は番号を使用する、小切手を保護するための印刷及び処理方法を提供する。シンボル又は番号は取り外し可能な層で被覆され、この層は決定的に破壊しない限り取り外すことはできない。ユーザが認可されたユーザであることを取り外し可能な層を取り外したときに受取人が確認できるように、ユーザは小切手を切る際に、隠されたシンボル又は番号を他の場所に書かなければならない。この方法は、認可されたユーザ自身の存在なしには実施できないので、証券用紙自体ではなくユーザを認証している。
【０００８】
欧州特許出願公開第０７３７５７２号公報は、バーコード印刷システムを開示しており、このシステムは、シート供給ドラムに対して半径方向に位置決めされるバーコードを印刷するための１台又はそれ以上のインクジェットプリンタ又はレーザプリンタを具備する。印刷されたシートの終端は、標識の質を向上させるために一連の把持具及び吸い込みヘッドを介しシート供給ドラムに接触され続けている。この公報は、シートの他の印刷フィールドに関してこの標識を認証することを扱っていない。
【発明の開示】
【０００９】
上記の方法及び機械はコード化された情報を読み取って記憶するための読み取り装置を必要とする。従って、識別標識として使用可能な情報の多様性には限界がある。さらに、上記の方法及び機械は、この情報をその後の認証のためのデータとして組み込むだけで、製造方法自体の枠組みの中で操作パラメータとして組み込んでいない。
【００１０】
従って、本発明の目的は、証券用紙の通し番号と関連付けられる部分識別標識が多様性に富んでいる、改良型複合識別標識を備えた証券用紙を製造することができる方法及び装置を提供することである。
【００１１】
これらの目的は、前記第一及び第二の標識付与部署が、認証データベースを使用する共通の処理ユニットによって制御され、該認証データベースが、各第一の英数字識別標識に前記第二の識別標識の一つを関連付け、前記処理ユニットが前記第一及び第二の標識付与部署に対し連続的に順序付けされた制御信号を発し、それにより、各標識付与部署が、順次決定された標識を各証券用紙上に形成するようにし、該標識が、他の標識付与部署により該証券用紙上に形成される標識と一緒に複合標識を形成可能であり、前記第二の標識と前記第一の標識とが前記規則によって互いに対応している、方法及び装置によって達成される。
【００１２】
この方法は、第二の標識と同様に同じ処理ユニットによって制御される、第三又はそれ以上の識別標識を付与することができる。
【００１３】
従って、識別標識が単に将来の認証のために記録される上述した従来技術の方法とは異なり、本発明による方法では、第一の識別標識は一つ又は複数のさらなる識別標識を生成するために使用される。
【００１４】
好ましくは、第一の標識付与部署、第二の標識付与部署、ひいては後続の標識付与部署が、互いに異なる標識技術を使用するのが好ましい。例えば、第一の識別標識は機械的活版印刷（タイポグラフィ）工程によって形成されうる。英数字は、当該技術分野において公知の１組の電子機械的ナンバリングボックスによって実現することができ、それぞれの印刷のために選択される文字は処理ユニットによって制御される。第二の識別標識を、証券用紙の別の位置に配置されかつ別の印刷技術で付着された、第一の識別標識と同じ英数字記号から構成することもできる。
【００１５】
好ましくは、偽造をより困難にするために、第二及び後続の識別標識は、第一の識別標識と同じ可視記号を有するべきでない。第二の識別標識は、例えば非可視インクで実現することができる。第二の標識は、数学的又はその他の論理規則によって第一の識別標識から演算されるデータを具現するものであってもよい。
【００１６】
偽造者が上記の数学/論理規則を発見できないようにするために、第二の識別標識に具現されるべきデータはランダムに生成されるデータであってもよく、これらのデータのそれぞれは対応する第一の識別標識と関連付けて認証データベースに記録される。
【００１７】
複数組の証券用紙が、個々の証券用紙が行及び列に配分され互いに隣接するフィールドを占めているシートの形にまとめられている場合、好ましくは、各標識付与部署が複数の構成要素標識付与装置を具備しており、各標識付与装置の作動領域が一つの列に対応しており、処理ユニットによって発せられる制御信号が互いに異なる構成要素標識付与装置に分配され、各構成要素標識付与装置により受信される信号が、構成要素標識付与装置の位置の関数として認証データベースにより順次生成される。
【００１８】
本発明の好ましい実施態様によれば、処理ユニットは、既に基本デザインが刷り込まれている証券用紙のシート上のミスプリントを検出して記録する装置と結合される。一時データベースを形成するために、案内マークは各シートとそのシートのミスプリントの記録とに関連付けられる。この一時データベースは処理ユニットによって認証データベースに結合され、それにより、基本デザインのミスプリントが検出されたフィールドにおける、標識付与装置の構成要素による識別標識の完成が、処理ユニットによって発せられる制御信号でもってスキップされるようにする。ミスプリントは全く識別標識を受け取らないか、又はこのミスプリントが無価値であることを示す特殊な標識を受け取る。
【００１９】
本発明によれば、第二及び後続の識別標識を決定するために、証券用紙に刷り込まれた第一の識別標識を読み取る必要はない。ただし、一組の証券用紙上に完全な複合識別標識が完成された後に、この一組の証券用紙が複合識別標識全体の正確な完成を確認する検査装置に導かれるのが望ましい。この品質管理は第一の認証テストと見なすことができる。
【００２０】
証券用紙のシートの識別標識の完成後に証券用紙のシートが、行及び列に沿って切断され、それにより、互いに分離された証券用紙の順次連続体が形成される。互いに分離された証券用紙の順序が前記英数字識別標識の順序に対応するように、処理ユニットの制御信号が標識付与部署の標識付与装置に配分される。ミスプリントは証券用紙の順次連続体からスキップされ、次いで証券用紙がステープル留めされて束にされ、用紙の束は連続の英数字識別標識を有していることになる。
【００２１】
次に、本発明による方法の実施例を、添付図面を参照して説明する。
【発明を実施するための最良の形態】
【００２２】
シートにまとめられ印刷機から排出される銀行券ないし手形に順次ナンバリングする、即ち番号付けすることが公知であり、この場合、銀行券の基本デザインがシートのフィールド全てに同様に印刷され、シートを単一の銀行券に切断してステープル留めした後に、連続的にナンバリングされた銀行券の束が形成されるように、これらのフィールドは単一の銀行券にそれぞれ対応している。処理中にミスプリントを自動的に排除することも公知である。この種の方法の特定の実施については、本願出願人に譲渡された米国特許第５，５９０，５０７号明細書中により明確に説明されており、その内容は本明細書に組み込まれる。
【００２３】
添付図面の図１に示されるように、シート１は、送り台２上に配置され、ドラム３に向けて案内される。このドラム３は、矢印Ａの方向に回転駆動されると共に、後述されるように複数の標識付与装置の作動領域に向けてシート１を導く。
【００２４】
シート１は、複数行及び複数列に配置された複数の互いに異なるフィールドに分割され、各フィールドは一つの銀行券を構成するようになっている。図１及び２に示される例において、シート１は３列１１、１２、１３及び１０行１〜１０からなり、各フィールドは図２において参照番号［列、行］で１１１から１３１０までを有する。全てのフィールドに同一の基本デザインが印刷される先行ステップ中に、シート１には図１に示されるように、列１３、行５即ちフィールド１３５においてミスプリントが形成されている。このミスプリントは印刷機の出口において検出されており、この情報はシート１の長さ方向の余白にコードバーの形で案内マーク４を印刷した装置（図には示されていない）に送られている。図１において、ブロック７は読み取り装置であり、読み取り装置はシート１に記されたコードバーを検出する。
【００２５】
図１に示されるナンバリング機は、ドラムの周りに互いに離間しつつドラム３の周縁に配置された一対の標識付与部署５及び６を具備する。各部署は、列１１、１２、１３のうちの一つの前にそれぞれ配置された、互いに類似する三つの構成要素標識付与装置５１、５２、５３及び６１、６２、６３を具備する。構成要素５は機械的活版印刷技術（タイポグラフィ）に従って作動するのに対して、構成要素６は別の技術、例えばインクジェット技術、レーザ式標識付与技術、エンボス技術、その他に従って作動することができる。異なる標識付与部署の数を２よりも大きくすることもできる。機械的活版印刷の部署５の構成要素は、例えば米国特許第５，６６０，１０６号明細書が教示するように配置することができる。機械的ナンバリングボックスを使用することもできる。
【００２６】
機械的活版印刷の利点は、磁気的セキュリティ及びＩＲセキュリティの一方又は両方、高解像度、並びにわずかな隆起にある。一方、フォント及びデータに関して融通性に欠ける。
【００２７】
インクジェット技術はそれほど高い解像度を呈さず、技術的理由から磁気的セキュリティインクを使用することができない。しかし、この技術はフォント及びジョブの変更に関して高い融通性が得られる。
【００２８】
レーザ式標識付与技術は、非常に高い解像度で標識付与することができ、高い融通性を得ることができる。
【００２９】
読み取り装置７は、さまざまな標識付与部署の全ての構成要素５１、５２、５３、６１、６２、６３に制御信号を送るために配置される処理ユニットに接続される。構成要素５１及び６１は列１１のフィールドに作用し、構成要素５２及び６２は列１２のフィールドに作用し、構成要素５３及び６３は列１３のフィールドに作用する。このようにして、構成要素５は銀行券に通し番号を印刷し、構成要素６は銀行券の異なる位置にこの銀行券の特定の通し番号に結び付けられた第二の部分識別標識を付与する。
【００３０】
図１に示されるように、シート１のフィールド１３５はミスプリントであり、コードバー４を読み取るときに読み取り装置７はこのミスプリントの位置を検出して処理ユニットにデータを送る。この処理ユニットはこれらデータを一時データベースに記憶し、シート１の様々な銀行券上に形成されるべき部分識別標識を順次決定すべく標識付与装置５及び６に制御信号が順次送られるときに、処理ユニット８がフィールド１３５を省略するよう命令するようになっている。
【００３１】
シート１の互いに異なるフィールド間の相関関係、及び標識付与装置の構成要素５１から６３までの動作の順序を、図１においてミスプリントの検出に関して設けられた要素４，７のようなコードバーと読み取り装置との協働によって確立すべきであるということでは、必ずしもない。標識付与装置の構成要素の機能とシート１内のフィールドの位置との間の他の相関手段を実現することもできる。いずれの場合にも、一時データベースのプログラミングにおける要素は、効果的に存在するパターンに従った案内マーク４の機能と類似の機能を果たす。
【００３２】
図２は、ナンバリング機によって処理された後のシート１の外観を示している。各フィールド１１１から１３１０までには、フィールド１３５を除いて、銀行券を順次決定する完全な識別標識が付与される。部分標識５０は通し番号であり、部分標識６０は例えば通し番号に結び付けられた機械で読み取り可能な画像情報又は図形である。フィールド１３５には識別標識が付与されず、その結果切断してミスプリントを分離した後には、有価銀行券が続きの通し番号を有することになる。
【００３３】
ドラム３から離れるときに、シート１は検査装置９の前を通るように導かれ、この検査装置９は識別標識が正確に付与されたか否かを確認する。
【００３４】
米国特許第５，５９０，５０７号明細書によって教示されるように、更に、ステープル留めし、切断し、束にすることができる。
【００３５】
当業者には、標識付与部署５の構成要素５１、５２、５３と標識付与部署６の構成要素６１、６２、６３とを例えば別個の機械の互いに異なるドラム上に配置できることが分かるだろう。この場合、処理ユニット８は、両方の機械に接続されてマーク４を使用する際に一方の機械から他方の機械にデータを伝送する。
【図面の簡単な説明】
【００３６】
【図１】図１は、銀行券にナンバリングするためのナンバリング機の概略部分図である。
【図２】図２は、図１のナンバリング機から排出された状態にある銀行券のシートの単純化された略図である。
【図１】
2005526643.tif 000003
【図２】
2005526643.tif 000004
【国際調査報告】
2005526643.tif 000005
2005526643.tif 000006
2005526643.tif 000007